【事件の表示】
　特願２０１１−５４２５０４「流体システムを備えた身体支持具及び同身体支持具を作動させる方法」拒絶査定不服審判事件〔平成２２年　７月　１日国際公開、ＷＯ２０１０／０７５２３０、平成２４年　６月１４日国内公表、特表２０１２−５１３２４８〕について、次のとおり審決する。
【結　論】
　本件審判の請求は、成り立たない。
【理　由】
１．手続の経緯 
　本件出願は、２００９年１２月１８日（パリ条約による優先権主張　２００８年１２月２２日、２００８年１２月２４日、米国）を国際出願日とする出願であって、平成２６年７月１５日付けで手続補正書が提出され、同年８月１１日付けで拒絶の査定がなされ（同査定の謄本の送達（発送）日　同月１４日）、これに対し、同年１２月１５日に拒絶査定に対する審判請求がなされたものである。 
 　 
２．本願の発明 
　本願の請求項１に係る発明は、上記の平成２６年７月１５日付けの手続補正によって補正された特許請求の範囲、明細書、及び図面の記載からみて、その特許請求の範囲の請求項１に記載された次のとおりのものと認める（以下「本願発明」という。）。  
　「【請求項１】
　下部面を有する第１フォーム層と、
　前記第１フォーム層を支持し、前記下部面と対面関係にある上部面を有する第２フォーム層であって、前記上部面と前記下部面のうち少なくとも一方は、少なくとも部分的に非平坦面によって画定され、それにより、前記第１フォーム層と前記第２フォーム層の間に複数の通路を画定している、第２フォーム層と、
　空気を、前記通路を通して移動させるように配置されている通風器と、
　パラメータを検出し、信号を発生させるセンサーと、
　前記センサーに連結されていて、前記信号に基づいて前記通風器を制御するようにプログラムされている制御器とを備えている、身体支持具組立体。」
　
３．引用例 
　原査定に係る拒絶理由通知で引用された、本願の優先日前である平成７年１２月５日に頒布された刊行物である特開平７−３１３３０６号公報（以下「引用例」という。）には、図面と共に次の事項が記載されている。
（１）「【請求項１】
下側から順に、上面側に複数の連通する条溝が設けられている独立気泡発泡シートと、可とう性の多孔シートと、ふとんわた層とが積層され、かつ、ふとんわた層を強制通気する空気の吹込口が前記の条溝に連通して設けられていることを特徴とする強制通気ふとん
（２）「【０００４】
【課題を解決するための手段】本発明の強制通気ふとんを図面を参照して説明すると、
下側から順に、上面側に複数の連通する条溝４が設けられている独立気泡発泡シート１と、可とう性の多孔シート２と、ふとんわた層３とが積層され、かつ、ふとんわた層３を強制通気する空気の吹込口５が条溝４に連通して設けられていることを特徴とする強制通気ふとんを提供する。条溝４はふとんわた層３に送気するための通路である
空気の吹込口５に、ふとんに吹込む空気を温調および／または調湿するためのエアコンディショナ６と送風機７を連結しておくと、空気を快適な状態に調整してふとんに簡単に吹込むことができる
（３）「【０００５】
【実施態様例と作用】本発明を実施態様例をあげながら図面を参照して具体的に説明する。図１は本発明の強制通気ふとんの模式的な断面図、図２は独立気泡発泡シートに設けられた条溝の一例を示す配置図である。本発明の強制通気ふとんでは、最下層が上面側に複数の連通する条溝４が設けられている独立気泡発泡シート１で構成されている。
条溝４は空気通路である
（４）「【０００７】
独立気泡発泡シート１の上面側に設けられた複数の連通する条溝４は、ふとん中に吹込む空気の流路を確保する作用を有する。条溝４は、空気の供給口からくし状、碁盤目状、あるいは人体の接触部を中心に配列するなど、使用環境に応じて任意に配置することができる
【０００８】
多孔シート２は、条溝４のカバーを形成してふとんわた層３が、直接、条溝４中に入込み、空気の流通を阻害するのを防止する作用を果たす
（５）「【００１０】
前記の空気の吹込口に、ふとんに吹込む空気を温調および／または調湿するためのエアコンディショナ６と送風機７を連結し、空気を快適な状態に調整してふとんに吹込むことができる。ふとんわた層３の表面近くなどの適当な場所に一または複数の温度センサーを取付け、自動的に温度調整することも可能である
　
　上記の記載事項を総合すると、引用例には、次の発明（以下「引用発明」という。）が記載されているものと認められる。 
　「下側から順に、上面側にくし状や碁盤目状に複数の連通する条溝４が設けられている独立気泡発泡シート１と、可とう性の多孔シート２と、ふとんわた層３とが積層され、かつ、ふとんわた層３を強制通気する空気の吹込口５が前記の条溝４に連通して設けられ、前記の空気の吹込口５に、ふとんに吹込む空気を温調および／または調湿して、快適な状態に調整するためのエアコンディショナ６と送風機７を連結し、ふとんわた層３の表面近くなどの適当な場所に一または複数の温度センサーを取付けて、ふとんに吹込む空気を自動的に温度調整することができる強制通気ふとんであって、
　前記条溝４はふとんわた層３に送気するための通路であって、ふとん中に吹込む空気の流路を確保する作用を有し、前記多孔シート２は、条溝４のカバーを形成してふとんわた層３が、直接、条溝４中に入込み、空気の流通を阻害するのを防止する作用を果たす強制通気ふとん。」
　
４．対比 
　本願発明と引用発明とを対比すると、
　後者の「強制通気ふとん」は、「独立気泡発泡シート１」と、「可とう性の多孔シート２」と、「ふとんわた層３」とが積層されて形成されており、その機能、作用等からみて、前者の「身体支持具組立体」に相当する。
　また、後者の上記の「ふとんわた層３」は「下部面を有する」ものであることは明らかである。
　また、後者の「ふとんわた層３」と前者の「第１フォーム層」とは、「第１層」との概念で共通する。
　また、後者の「独立気泡発泡シート１」は、前者の「第２フォーム層」に相当する。そして、後者の「独立気泡発泡シート１」は、上記のふとんわた層との間に「可とう性の多孔シート２」が介在するものの、ふとんわた層の「下部面」と独立気泡発泡シートの「上部面」とは「対面関係にある」といえ、「上面側にくし状や碁盤目状に複数の連通する条溝４が設けられ」「条溝４はふとんわた層３に送気するための通路であって、ふとん中に吹込む空気の流路を確保する作用を有」するところから、「下部面と対面関係にある上部面を有する第２フォーム層であって、前記上部面は、少なくとも部分的に非平坦面によって画定され、それにより、前記第１層と前記第２フォーム層の間に複数の通路を画定している、第２フォーム層」といえる。
　また、後者の「ふとんに吹込む空気を温調および／または調湿して、快適な状態に調整するためのエアコンディショナ６と送風機７」は、前者の「空気を、通路を通して移動させるように配置されている通風器」に相当する。
　また、後者の「温度センサー」は、「ふとんに吹込む空気を自動的に温度調整する」ことから、前者の「パラメータを検出し、信号を発生させるセンサー」に相当し、また、後者がふとんに吹込む空気を自動的に温度調整していること、及び技術常識を踏まえれば、後者も「センサーに連結されていて、センサーの信号に基づいて通風器を制御するようにプログラムされている制御器」を備えていることは明らかである。
　
　したがって、両者は、 
　「下部面を有する第１層と、
　前記第１層を支持し、前記下部面と対面関係にある上部面を有する第２フォーム層であって、前記上部面と前記下部面のうち少なくとも一方は、少なくとも部分的に非平坦面によって画定され、それにより、前記第１層と前記第２フォーム層の間に複数の通路を画定している、第２フォーム層と、
　空気を、前記通路を通して移動させるように配置されている通風器と、
　パラメータを検出し、信号を発生させるセンサーと、
　前記センサーに連結されていて、前記信号に基づいて前記通風器を制御するようにプログラムされている制御器とを備えている、身体支持具組立体。」  
　の点で一致し、以下の点で相違している。 
　［相違点］ 
　第１層が、本願発明では「第１フォーム層」であるのに対し、引用発明では、「ふとんわた層」である点。
 　
５．判断 
　上記の相違点について検討すると、
　一般に身体支持具組立体において、複数の層からなり、少なくとも第１層がフォーム層からなるものは、本願の優先日時点で周知の技術事項（例えば、特開２００６−１４８１９号公報の段落【００１６】、【００１７】、【００１９】、【００２０】、【００２６】、【００２７】、【００２９】、実願昭５３−１１８４９７号（実開昭５５−３４４６３号）のマイクロフィルムの第１頁第１７行〜第２頁第１３行、第３頁末行〜第４頁第６行、特開２００３−２４１８４号公報の段落【０００１】、【０００２】、【０００６】、【００１８】、【００１９】参照。）である。
　そして、引用発明と上記周知の技術事項とは、共に身体支持具組立体という技術分野に属し、また、両者は、通気性がよく、使用者が快適に使用できるようにするという共通の課題を有するものであるから、引用発明に上記周知の技術事項を適用することは、当業者が容易に想到し得るものである。
　したがって、引用発明において、上記周知の技術事項を適用することにより、相違点に係る本願発明の発明特定事項とすることは、当業者が容易に想到し得るものである。
　
　そして、本願発明の全体の発明特定事項によって奏される効果も、引用発明、及び上記周知の技術事項から当業者が予測し得る範囲内のものである。
　
６．むすび 
　以上のとおり、本願発明は、引用発明及び上記周知の技術事項に基づいて、当業者が容易に発明をすることができたものであるから、特許法第２９条第２項の規定により特許を受けることができない。
 　 
　よって、結論のとおり審決する。